(57)【要約】      （修正有）【課題】内容物の保存または保護のための密閉性と使用時のイージーオープン性を有する密閉包装容器において、未シール部よりなる開封口の開封のきっかけとなる蓋材と本体のつまみを容易につかんで開封することができる包装容器を提供する。【解決手段】密封包装容器において、開封口の容器本体の一部分に凹凸を設けて、凹凸の一部分を押さえることにより開封口の容器本体と蓋材に間隙またはズレ発生させることができ、開封口の蓋材と本体をつかみ易くした包装容器である。【選択図】図１
2005186975.tif 000002
【特許請求の範囲】
【請求項１】
容器本体と蓋材より形成され、容器フランジ部のシール部分に連続して設けられている未シール部分を開封口とするイージーオープンタイプの密封包装容器であって、開封口の容器本体の一部分に凹凸を設けて、凹凸の一部分を押さえることにより開封口の容器本体と蓋材に間隙またはズレ発生させることを特徴とする包装容器。
【請求項２】
凹凸が開封方向と垂直な１列又は２列以上の溝状の凹みであり、両端がいずれも開封口の端部まで設けられている請求項１記載の包装容器。
【請求項３】
凹凸が開封口のコーナー部の方向に頂点を有する２等辺三角形を底面とする三角錐状の凹み形状または三角錐と任意の形状を三角錐のコーナー部と反対側で複合した凹み形状である請求項１記載の包装容器。
【請求項４】
凹凸が楕円を含む円形又は多角形の凹みの中央に凸部を設けた形状である請求項１記載の包装容器。
【発明の詳細な説明】
【技術分野】
【０００１】
本発明は食品・医薬品等の包装分野において内容物の保存性や保護のために、樹脂製のフィルムまたはシートよりなる容器本体に蓋材をシールすることにより密封し、使用時に容易に開封できる所謂イージーオープンタイプの密封包装容器に関するものである。
【背景技術】
【０００２】
イージーオープンタイプの密封包装容器は内容物の保存性や保護のための安定した密封性が要求されると共に、使用時に容易に開封できることが要求され、蓋材または底材のシール層を中心として樹脂の配合処方を検討することにより、シール界面の剥離、シール層と隣接層の界面での剥離、シール層の凝集剥離が安定して得られるように設計され、良好に使用されてきた。
【０００３】
これらのイージーオープンタイプの密閉包装容器には、通常、容易に開封を開始できるように開封口が形成されており、カップ等丸い本体形状のものはフランジの一部を凸型とすることにより、トレイ等の四角い本体形状のものはコーナーのフランジ部を広くして活用することにより開封口が形成されている。
【０００４】
ハードトレイやカップなどの形状の定まった容器の場合は一方の手で容器本体をつかみ、他方の手で開封口をつかんで開封することが出来るが、０．５ｍｍ以下のシートを成形したトレイや軟質フィルムによるソフトガスパック包装のパッケージなどでは容器本体をつかんで開封のために力を加えると容器自身が変形するために、通常フランジのシール部分に連続して未シール部分を設けて開封口とし、未シール部分の蓋材と本体の両方をつかんで開封するようにして使用されている。
【０００５】
しかしながら、蓋材としては例えばニ軸延伸ポリエチレンテレフタレートフィルムやニ軸延伸ポリプロピレンフィルムにシール層フィルム或いはバリア性を有するシーラントフィルムが積層されたものが用いられており、これらは薄く柔らかいために蓋材を掴みにくく、また包装機械で最終製品形態への切断、打ち抜きの課程で本体と蓋材が密着してしまい開封のきっかけが得づらいという問題があった。
【０００６】
これらの問題を改善するため、例えば特許文献１のように未シール部分の本体側に凸部を設けて未シール部分の蓋材と本体を密着しないようにして開封のきっかけを得易くすることが考案されたが、現在普及している包装機械では凸部を作成する本体成形部分にはフィルム加熱の熱盤が上側にあるために低い凸部しか作成出来ず効果が不充分であり、特に本体が０．１２ｍｍ以下の軟質包材を使用した真空包装の場合では殆んど効果が得られないこともあった。
【特許文献１】特開２００２−３０２１５８号公報
【発明の開示】
【発明が解決しようとする課題】
【０００７】
本発明により、内容物の保存または保護のためのイージーオープンタイプの密封包装容器において、使用時に容易に開封口を活用して開封できる包装容器を提供することである。
【課題を解決するための手段】
【０００８】
本発明は、
（１）容器本体と蓋材より形成され、容器フランジ部のシール部分に連続して設けられている未シール部分を開封口とするイージーオープンタイプの密封包装容器であって、開封口の容器本体の一部分に凹凸を設けて、凹凸の一部分を押さえることにより開封口の容器本体と蓋材に間隙またはズレ発生させることを特徴とする包装容器、
（２）凹凸が開封方向と垂直な１列又は２列以上の溝状の凹みであり、両端がいずれも開封口の端部まで設けられている（１）項記載の包装容器、
（３）凹凸が開封口のコーナー部の方向に頂点を有する２等辺三角形を底面とする三角錐状の凹み形状または三角錐と任意の形状を三角錐のコーナー部と反対側で複合した凹み形状である（１）項記載の包装容器、
（４）凹凸が楕円を含む円形又は多角形の凹みの中央に凸部を設けた形状である（１）項記載の包装容器、
である。
【発明の効果】
【０００９】
本発明に従うと、内容物の保存または保護のための密閉性と使用時に開封が容易であるイージーオープン性を有する密閉包装容器において、開封口の開封のきっかけとなる蓋材と本体のつまみを容易につかんで開封することができる包装容器を提供することが出来る。
【発明を実施するための最良の形態】
【００１０】
本発明は通常フォームフィルシールと呼ばれる、容器本体の成形工程、内容物の充填工程、真空またはガス置換するとともに蓋材と熱シールして密封する工程、最終製品形状への切断工程を連続して行う機械に適用して、容器本体の成形型の未シール部分の一部分を所定の形状に加工することによって容易に実現でき効果的に用いられる。また、成形、充填、シール、切断の１工程または複数の工程を別ラインで実施する包装容器に対しても使用することができる。
【００１１】
本発明は開封口の未シールの本体部分に所定の形状の凹凸を設けて凹凸部分を開封時に押することにより、密着して剥がしにくくなっている蓋材と本体に間隙またはズレを発生させて容易に開封口を活用することができる。
また、凹凸部分は明らかに外観及び手で触った感触が異なるために、製品の表示を注視しなくても開封口を容易に識別することができ、お年寄りや目の不自由な人にも開封口の位置が判り易いものである。
【００１２】
本発明に用いられるフィルム及びシートは特に限定されるものではなく、イージーオープンタイプの包装容器の材料として公知のものを使用することが出来るが、凹凸部分を手で押さえて変形させて、蓋材との隙間やズレを発生させる作業性から、容器本体の厚みは０．１ｍｍ〜０．３ｍｍとすることが好ましい。
また、包装容器の形状も特に限定されるものではなく、内容物を収納するための成形部分と密封するためのシール部分とから構成される公知のものを使用することが出来る。
【００１３】
凹凸を開封方向と垂直な溝状の凹みとした場合、凹み部分を押さえてフラットにすることが目的であり、凹みが小さすぎると充分な効果が得られず、また逆に大きくしすぎると凹み部分の本体の剛性が低下してしまい、凹み部分を押さえてもフラットにならずに折り曲がって効果が得られない。従って本体が蓋材とずれる為に（溝の深さ）×（列の本数）が２ｍｍ以上６ｍｍ以下であることが好ましい。
【００１４】
凹凸を開封口の三角錐状の凹み形状または三角錐と任意の形状を三角錐のコーナー部と反対側で複合した形状とした場合は、凹みをシール部側から押さえた際に開封口の本体のフラット部分が反り上がる為には、三角錐の底面の２等辺三角形の頂点がコーナー部に向いていることが必要である。三角錐のコーナー部と反対側に複合する形状は前述の効果には影響が少なく、凹みを設ける為の加工性、見栄え、識別性を考慮して任意の形状とすることができる。三角錐上の凹みの深さは１ｍｍ以上５ｍｍ以下とすることが好ましい。
【００１５】
凹凸を円形又は多角形の凹みの中央に凸部を設けた形状とした場合は、多角形部分の凹みが反転すること、凸部が蓋材を押し上げる剛性を保持することが必要であり、凹みの深さは１ｍｍ以上５ｍｍ以下、凸部の先端は３ｍｍ2以上１６ｍｍ2以下であることが好ましい。
【実施例】
【００１６】
以下に実施例を示して本発明をさらに詳細に説明するが、本発明はこれらの実施例によって限定されるものではない。図１は以下の実施例の包装容器の全体図である。
＜実施例１＞
図２は実施例１の開封口を本体側から見た平面図、図３は図２のＡ−Ａ‘線の断面図である。図４は実施例１の実施時の図２のＡ−Ａ‘線の断面図である。即ち、コーナー部を構成する長さ３０ｍｍの２辺を２等辺とする直角２等辺三角形の開封口の底辺に沿った幅６ｍｍ、深さ３ｍｍ、断面形状が半円の溝状の凹みをシール部の際から設けた。操作部をシール部側から押すことにより溝状の凹みがフラットに近づく為に本体と蓋材にズレが発生して、開封口の蓋材と本体を容易に開封つまみとしてつかむことが出来た。
【００１７】
＜実施例２＞
図５は実施例２の開封口を本体側から見た平面図、図６は図５のＢ−Ｂ’線の断面図である。図７は実施時の図５のＢ−Ｂ‘線の断面図である。即ちコーナー部を構成する長さ３０ｍｍの２辺を２等辺とする直角２等辺三角形の開封口に、シール部の際に隣接して、底辺が１５ｍｍ、高さが１５ｍｍの２等辺三角形を底面とする高さ３ｍｍの三角錐状の凹みを２等辺三角形の頂点をコーナー部の方向に向けて設けた。操作部をシール部側から押すことにより三角錐状凹みがフラットに近づく為に凹みの周辺の本体が反って本体と蓋材に間隙が発生して、開封口の蓋材と本体を容易に開封つまみとしてつかむことが出来た。
【００１８】
＜実施例３＞
図８は実施例３の開封口を本体側から見た平面図、図９は図８のＣ−Ｃ’線の断面図である。図１０は実施時の図８のＣ−Ｃ‘線の断面図である。即ちコーナー部を構成する長さ３０ｍｍの２辺を２等辺とする直角２等辺三角形の開封口の中央部に、直径１２ｍｍの円を底面とする深さ２ｍｍの凹みの中央に直径４ｍｍ、高さ２ｍｍの円形の凸部を組み合わせた凹凸を設けた。操作部をシール部側から押すことにより凹みが反転して中央の凸部が蓋材を押すために間隙が発生して、開封口の蓋材と本体を容易に開封つまみとしてつかむことが出来た。
【産業上の利用可能性】
【００１９】
本発明の包装容器は内容物の保存性を高めるための酸素遮蔽性の密封包装容器であり、使用時に開封口を容易に認識し、また開封つまみとして確実に本体と蓋材をつかむことができ、容易に開封して内容物を取り出すことがでる。特に現在の高齢化社会において視力の低下している人、指先の力の弱くなっている人にも容易に開封することができるものである。
【図面の簡単な説明】
【００２０】
【図１】製品全体図
【図２】実施例１の開封口を本体側から見た平面図
【図３】図２のＡ−Ａ‘線の断面図
【図４】実施時の図２のＡ−Ａ‘線の断面図
【図５】実施例２の開封口を本体側から見た平面図
【図６】図５のＢ−Ｂ‘線の断面図
【図７】実施時の図５のＢ−Ｂ‘線の断面図
【図８】実施例３の開封口を本体側から見た平面図
【図９】図８のＣ−Ｃ‘線の断面図
【図１０】実施時の図８のＣ−Ｃ‘線の断面図
【符号の説明】
【００２１】
１  開封口
２  コーナー部
３  溝状凹み部
４  シール部
５  本体
６  蓋材
７  操作部
８  三角錐凹み部
９  円形凹凸部
【図１】
2005186975.tif 000003
【図２】
2005186975.tif 000004
【図３】
2005186975.tif 000005
【図４】
2005186975.tif 000006
【図５】
2005186975.tif 000007
【図６】
2005186975.tif 000008
【図７】
2005186975.tif 000009
【図８】
2005186975.tif 000010
【図９】
2005186975.tif 000011
【図１０】
2005186975.tif 000012